(57)【特許請求の範囲】
【請求項１】
エンジンのクランクシャフトの軸端部に取付けられたフライホイールと、変速機のインプットシャフトの軸端部に設けられて前記フライホールに対向配置されたクラッチディスクと、そのクラッチディスクを前記フライホイールに向けて付勢するプレッシャプレートと、そのプレッシャプレートに対して進退自在に設けられたレリーズ軸受と、前記レリーズ軸受を前記プレッシャプレートに向けて加圧移動させる軸力発生機構とを有してなり、前記レリーズ軸受によりプレッシャプレートを押圧して、前記フライホイールとクラッチディスクとのクラッチ結合を解除する自動クラッチ装置において、
前記軸力発生機構が、電動モータと、その電動モータにおけるロータの回転運動を前記レリーズ軸受の直線運動に変換する回転／直動運動変換機構とを有してなり、
その回転／直動運動変換機構が、前記インプットシャフト上において伸縮筒を形成する複数の径の異なる筒体と、スライド自在に嵌合された一対の筒体の相互間に設けられて大径側筒体の回転を小径側筒体の直線運動に変換するカム機構とからなり、
前記伸縮筒を形成する複数の径の異なる筒体が外筒、中間筒および内筒であり、前記カム機構が、スライド自在に嵌合された一対の筒体である前記外筒と前記中間筒の相互間、およびスライド自在に嵌合された一対の筒体である前記中間筒と前記内筒の相互間に設けられ、
前記複数の筒体のうち、最大径の筒体が前記電動モータからの回転が入力される入力側筒体とされ、最小径の筒体が前記レリーズ軸受を押圧する出力側筒体とされ、前記電動モータから出力側筒体に至るトルク伝達系に前記レリーズ軸受側からの逆入力を遮断する逆入力遮断機構が設けられていることを特徴とする自動クラッチ装置。
【請求項２】
前記カム機構が、互いに嵌合された一対の筒体の、一方の筒体に形成された傾斜状のカム溝と、他方の筒体に設けられて前記カム溝にスライド自在に挿入されたピンとからなる請求項１に記載の自動クラッチ装置。
【請求項３】
前記カム溝の一端に、円周方向に延びて前記ピンとの間で前記逆入力遮断機構を形成する周方向溝が設けられた請求項２に記載の自動クラッチ装置。
【請求項４】
前記電動モータが、ロータを筒状とする中空モータからなり、その中空モータのロータが入力側筒体に嵌合されて、ロータの回転が入力側筒体に直接入力されるようにした請求項１乃至３のいずれか１項に記載の自動クラッチ装置。
【請求項５】
前記電動モータが、前記インプットシャフトと直交する配置とされ、その電動モータの中実軸からなるロータと前記入力側筒体との間にウォームおよびウォームホイールからなる回転伝達機構が設けられた請求項１乃至３のいずれか１項に記載の自動クラッチ装置。
【請求項６】
前記電動モータが、前記インプットシャフトと平行する配置とされ、その電動モータの中実軸からなるロータと前記入力側筒体との間に一対の互いに噛合する平歯車からなる回転伝達機構が設けられた請求項１乃至３のいずれか１項に記載の自動クラッチ装置。
【請求項７】
前記逆入力遮断機構が、前記ロータと前記回転伝達機構との間に組み込まれて、ロータの回転を回転伝達機構に伝達し、回転伝達機構側からの逆入力を遮断する逆入力遮断クラッチからなる請求項５又は６に記載の自動クラッチ装置。
【発明の詳細な説明】
【技術分野】
【０００１】
この発明は、エンジンのクランクシャフトから出力される動力を変速機のインプットシャフトに対して断続する自動クラッチ装置に関する。
【背景技術】
【０００２】
マニュアル・トランスミッション（ＭＴ）やオートメーテッド・マニュアル・トランスミッション（ＡＭＴ）におけるクラッチを自動断続する自動クラッチ装置として、特許文献１および特許文献２に記載されたものが従来から知られている。
【０００３】
特許文献１に記載された自動クラッチ装置においては、クラッチペダルの踏み込みにより、そのクラッチペダルに機械的連結されたマスタシリンダで油圧を発生させ、その油圧をクラッチレリーズシリンダに送り、そのクラッチレリーズシリンダによりレリーズフォークを揺動させてレリーズ軸受を押圧し、そのレリーズ軸受からプレシャープレートに負荷される押し込み力により、そのプレシャープレートをフライホイールに圧接させてクラッチを入り状態としている。
【０００４】
一方、特許文献２に記載された自動クラッチ装置は、上記特許文献１と同様に、クラッチペダルの踏み込みによりクラッチマスタシリンダを作動させて油圧を発生させ、その油圧をクラッチレリーズシリンダに送り、そのクラッチレリーズシリンダによりレリーズフォークを揺動させて、そのレリーズフォークによりレリーズ軸受を押圧してクラッチを切り状態としている。
【先行技術文献】
【特許文献】
【０００５】
【特許文献１】特開２０１０-７８１５６号公報
【特許文献２】特開２０１４-２０２２３８号公報
【発明の概要】
【発明が解決しようとする課題】
【０００６】
ところで、上記特許文献１および２のいずれも、クラッチレリーズシリンダの作動によりレリーズフォークを揺動させてクラッチを断続するものであるため、自動クラッチ装置が大型化し、しかも、油圧ポンプを必要とし、その油圧ポンプとクラッチレリーズシリンダを管路で接続する必要があるため、組み付けに大きなスペースを確保しなければならないという不都合がある。
【０００７】
また、クラッチレリーズシリンダを作動させる油圧は、低温時、油の粘度が高くなって油圧管路内での流動性が悪くなり、クラッチレリーズシリンダの応答性が低下するという不都合もある。
【０００８】
この発明の課題は、レリーズ軸受に対する押し込み力の負荷によってエンジンから変速機のインプットシャフトへの動力の断続を行う自動クラッチ装置の小型化と応答性の向上を図ることである。
【課題を解決するための手段】
【０００９】
上記の課題を解決するため、この発明においては、エンジンのクランクシャフトの軸端部に取付けられたフライホイールと、変速機のインプットシャフトの軸端部に設けられて前記フライホールに対向配置されたクラッチディスクと、そのクラッチディスクを前記フライホイールに向けて付勢するプレッシャプレートと、そのプレッシャプレートに対して進退自在に設けられたレリーズ軸受と、前記レリーズ軸受を前記プレッシャプレートに向けて加圧移動させる軸力発生機構とを有してなり、前記レリーズ軸受によりプレッシャプレートを押圧して、前記フライホイールとクラッチディスクとのクラッチ結合を解除する自動クラッチ装置において、前記軸力発生機構が、電動モータと、その電動モータにおけるロータの回転運動を前記レリーズ軸受の直線運動に変換する回転／直動運動変換機構とを有してなり、その回転／直動運動変換機構が、前記インプットシャフト上において伸縮筒を形成する複数の径の異なる筒体と、スライド自在に嵌合された一対の筒体の相互間に設けられて大径側筒体の回転を小径側筒体の直線運動に変換するカム機構とからなり、前記複数の筒体のうち、最大径の筒体が前記電動モータからの回転が入力される入力側筒体とされ、最小径の筒体が前記レリーズ軸受を押圧する出力側筒体とされ、前記電動モータから出力側筒体に至るトルク伝達系に前記レリーズ軸受側からの逆入力を遮断する逆入力遮断機構が設けられてなる構成としたのである。
【００１０】
上記の構成からなる自動クラッチ装置において、電動モータの停止状態においては、プレッシャプレートの弾性力によりクラッチディスクがフライホイールに圧接されてクラッチが入り状態にあり、エンジンのクランクシャフトの回転は変速機のインプットシャフトに入力される。
【００１１】
電動モータを駆動すると、その電動モータのロータの回転は回転／直動運動変換機構を構成する伸縮筒の入力側筒体に入力され、その入力側筒体が回転する。このとき、伸縮筒を形成する複数の筒体の相互間には大径側筒体の回転を小径側筒体の直線運動に変換するカム機構が設けられているため、入力側筒体の回転運動は出力側筒体の直線運動に変換されて伸縮筒が伸長し、出力側筒体がレリーズ軸受を押圧する。
【００１２】
レリーズ軸受は出力側筒体の押圧により軸方向に移動してプレッシャプレートを押圧し、その押圧によりプレッシャプレートが弾性変形してクラッチディスクの押圧を解除し、フライホイールに対するクラッチディスクの圧接解除によってクラッチが切り状態となり、クランクシャフトからインプットシャフトへの動力伝達が遮断される。
【００１３】
上記のように、電動モータの駆動、停止によってクラッチが入り切りするため、クランクシャフトから出力される動力をインプットシャフトに対して断続することができる。
【００１４】
ここで、電動モータのロータの回転運動を直動運動に変換する回転／直動運動変換機構は、伸縮筒を形成する径の異なる複数の筒体と、複数の筒体の相互間に設けられたカム機構とで形成され、上記伸縮筒がインプットシャフト上に設けられ、その伸縮筒の周囲に電動モータが配置されるものであるため、小型の自動クラッチ装置とすることができ、しかも、電動モータを駆動源とするため、組み付けに際しては配線の取り回しをするのみでよいため、大きな組込みスペースを確保する必要がない。
【００１５】
また、温度変化等の周囲の環境の変化に左右されることなく電動モータの駆動を迅速に制御することができ、応答性に優れた自動クラッチ装置を得ることができる。
【００１６】
この発明に係る自動クラッチ装置において、複数の筒体の相互間に設けられたカム機構として、互いに嵌合された一対の筒体の、一方の筒体に形成された傾斜状のカム溝と、他方の筒体に設けられて上記カム溝にスライド自在に挿入されたピンとからなるものを採用することができる。
【００１７】
上記カム機構の採用において、カム溝の一端に円周方向に延びる周方向溝を形成すると、その周方向溝にピンが嵌まり込むことによって回転方向分力の発生が防止されるため、ピンとの間でレリーズ軸受からの逆入力を遮断する逆入力遮断機構を形成することができる。
【００１８】
この発明に係る自動クラッチ装置において、電動モータは、ロータが筒状とされた中空モータであってもよく、ロータが中実軸からなる電動モータであってもよい。中空モータの採用においては、その中空モータを伸縮筒の入力側筒体に外嵌合する組み込みとして、上記入力側筒体を直接駆動することができるため、自動クラッチ装置をより小型化することができる。
【００１９】
中実軸からなる電動モータの採用においては、その電動モータをインプットシャフトと直交する配置としてもよく、あるいは、インプットシャフトと平行する配置としてもよい。
【００２０】
電動モータをインプットシャフトと直交する配置とする場合には、電動モータのロータと伸縮筒の入力側筒体との間にウォームおよびウォームホイールからなる回転伝達機構を設けて電動モータのロータの回転を入力側筒体に入力する。この場合、ウォームおよびウォームホイールは、回転伝達機構としての機能の他、レリーズ軸受側からの逆入力を遮断する逆入力遮断機構としての機能を発揮する。
【００２１】
一方、電動モータをインプットシャフトと平行する配置とする場合は、電動モータのロータと伸縮筒の入力側筒体との間に一対の互いに噛合する平歯車からなる回転伝達機構を設けて電動モータのロータの回転を入力側筒体に入力する。この場合、入力側平歯車の歯車軸と電動モータのロータ間に逆入力遮断クラッチを組み込んで、歯車軸側からの逆入力を遮断するようにしてもよい。
【発明の効果】
【００２２】
この発明においては、上記のように、電動モータの駆動によりインプットシャフト上に設けられた伸縮筒を伸長させてレリーズ軸受をプレッシャプレートに向けて直線運動させるようにしたので、クラッチレリーズシリンダによりレリーズフォークを揺動させてレリーズ軸受をプレッシャプレートに向けて移動させるようにした従来の自動クラッチ装置に比較して、大きな組込みスペースを確保する必要のない小型の自動クラッチ装置を得ることができる。
【００２３】
また、駆動源となる電動モータはスイッチ操作によって駆動が制御されるものであって、温度変化等の周囲の環境の変化によって動作が左右されることがないため、応答性に優れた自動クラッチ装置を得ることができる。
【００２４】
さらに、電動モータから伸縮筒の出力側筒体に至るトルク伝達系に逆入力遮断機構を設けたことにより、レリーズ軸受側からの逆入力を遮断することができる。このため、電動モータへの通電を遮断する状態で自動クラッチ装置をクラッチ解除状態に確実に保持することができ、電流の消費や電動モータの発熱を抑えることができる。
【図面の簡単な説明】
【００２５】
【図１】この発明に係る自動クラッチ装置の実施の形態を示す断面図
【図２】図１のレリーズ軸受部を拡大して示す断面図
【図３】図２のIII−III線に沿った断面図
【図４】図２の入力側筒体の一部を外径で示す横断面図
【図５】図４に示す伸縮筒の伸長状態を示す断面図
【図６】図２に示す回転／直動運動変換機構の分解斜視図
【図７】カム機構の他の例を示す断面図
【図８】カム機構のさらに他の例を示す断面図
【図９】この発明に係る自動クラッチ装置の他の実施の形態を示す断面図
【図１０】図９のＸ−Ｘ線に沿った断面図
【図１１】この発明に係る自動クラッチ装置のさらに他の実施の形態を示す断面図
【図１２】（ａ）は逆入力遮断機構の他の例を示す断面図、（ｂ）は（ａ）のXII−XII線に沿った断面図
【発明を実施するための形態】
【００２６】
以下、この発明の実施の形態を図面に基づいて説明する。図１に示すように、エンジンのクランクシャフト１０と、平行軸歯車式の変速機１１におけるインプットシャフト１２は同軸上の配置とされている。
【００２７】
クランクシャフト１０のインプットシャフト１２に対する軸端部にはフライホイール１３が固定され、そのフライホイール１３が変速機１１に設けられたクラッチハウジング１４内において回転自在とされている。
【００２８】
フライホイール１３の変速機１１と対向する外側面の外周部にはクラッチカバー１５が取り付けられ、そのクラッチカバー１５内にクラッチディスク１６が組み込まれている。
【００２９】
クラッチディスク１６のフライホイール１３に対する対向面の外周部にはフェーシング１７が固着されている。このクラッチディスク１６はインプットシャフト１２の軸端部外周に形成されたセレーション１８に嵌合されて回り止めされ、かつ、軸方向にスライド自在とされている。
【００３０】
また、クラッチカバー１５の内部にはプレッシャプレート１９が組み込まれている。プレッシャプレート１９はダイヤフラムスプリングからなる。ダイヤフラムスプリング１９は環状をなし、その内周部には複数のスロット２０が放射状に形成され、隣接するスロット２０間にばね片２１が設けられている。
【００３１】
ダイヤフラムスプリング１９には、上記スロット２０の閉塞端を通る外接円と外径面間に複数のピン孔２２が周方向に等間隔に形成され、各ピン孔２２に余裕をもって挿入された支持ピン２３がクラッチカバー１５に取り付けられている。
【００３２】
複数の支持ピン２３の周囲には、ダイヤフラムスプリング１９を挟む両側に一対のリング２４が掛け渡され、その一対のリング２４と支持ピン２３とでダイヤフラムスプリング１９が支持されている。
【００３３】
ダイヤフラムスプリング１９はクラッチディスク１６の外周部に設けられた突起部２５をフライホイール１３に向けて押圧してフェーシング１７をフライホイール１３に圧接しており、そのダイヤフラムスプリング１９の内周部をフライホイール１３に向けて押し込むことにより、フライホイール１３に対するフェーシング１７の圧接が解除して、クラッチが切り状態とされる。
【００３４】
図２に示すように、クラッチハウジング１４には、インプットシャフト１２を覆うガイド筒２６が設けられ、そのガイド筒２６の外側にスリーブ２７が嵌合されている。スリーブ２７はガイド筒２６に対して回り止めされ、かつ、軸方向には移動自在に支持されている。
【００３５】
スリーブ２７の外周囲にはレリーズ軸受３０が設けられている。レリーズ軸受３０は、外輪３１、内輪３２およびボール３３を有し、上記内輪３２がダイヤフラムスプリング１９の内周部に接続されている。
【００３６】
外輪３１は、ガイド筒２６の外周囲に設けられた軸力発生機構４０によってダイヤフラムスプリング１９に向けて押圧される。
【００３７】
軸力発生機構４０は、電動モータ４１と、その電動モータ４１のロータ４２の回転をレリーズ軸受３０の直線運動に変換する回転／直動運動変換機構５０からなる。
【００３８】
電動モータ４１は中空モータからなる。中空モータ４１はクラッチハウジング１４で支持され、図示省略した円筒状のロータの回転を回転／直動運動変換機構５０に直接入力している。
【００３９】
図２乃至図６に示すように、回転／直動運動変換機構５０は、径の異なる複数の筒体としての外筒５１、中間筒５２および内筒５３のそれぞれをスライド自在に嵌合して伸縮筒５４を形成し、その伸縮筒５４を形成する外筒５１と中間筒５２の相互間および中間筒５２と内筒５３の相互間に相対的な回転運動を直線運動に変換するカム機構６０を設けた構成とされている。
【００４０】
カム機構６０は、外筒５１および中間筒５２のそれぞれに傾斜状のカム溝６１、６２を形成し、中間筒５２に設けられたピン６３を外筒５１のカム溝６１内にスライド自在に挿入し、内筒５３に設けられたピン６４を中間筒５２に形成されたカム溝６２内にスライド自在に挿入し、上記内筒５３をガイド筒２６に対して回り止めし、かつ、スライド自在に支持している。
【００４１】
上記の構成からなる回転／直動運動変換機構５０においては、中空モータ４１により入力側筒体としての外筒５１を直接に回転駆動し、その外筒５１に形成されたカム溝６１と中間筒５２に設けられたピン６３の関係により、中間筒５２を回転させつつ軸方向に移動させ、その中間筒５２に設けられたカム溝６２と内筒５３に設けられたピン６４の関係により内筒５３を軸方向に移動させ、その内筒５３でレリーズ軸受３０の外輪３１を押圧するようにしている。
【００４２】
実施の形態においては、外筒５１、中間筒５２および内筒５３の３本の筒体をスライド自在に嵌合して伸縮筒５４を形成しているが、伸縮筒５４を形成する筒体の数は３本に限定されるものではなく、少なくとも２本以上あればよい。
【００４３】
また、内筒５３をガイド筒２６に対して回り止めし、かつ、スライド自在に支持するため、ここでは、図２および図３に示すように、内筒５３の内径面にキー溝５５を形成し、ガイド筒２６に取り付けたキー５６をそのキー溝５５にスライド自在に嵌合しているが、これに限定されるものではない。例えば、セレーションやスプラインの嵌合としてもよい。
【００４４】
ここで、回転／直動運動変換機構５０の内筒５３でレリーズ軸受３０の外輪３１が軸方向に押圧付勢されるようにするため、図２に示すように、外輪３１とスリーブ２７を連結プレート３４で連結して外輪３１を回り止めし、その連結プレート３４を内筒５３で押すようにしている。
【００４５】
図５および図６に示すように、カム機構６０には、ダイヤフラムスプリング１９からの反力によって回転／直動運動変換機構５０が作動するのを防止する逆入力遮断機構７０が設けられている。
【００４６】
逆入力遮断機構７０は、外筒５１に形成されたカム溝６１および中間筒５２に形成されたカム溝６２の一端部に円周方向に延びる周方向溝７１、７２を設け、外筒５１と中間筒５２の相対回転および中間筒５２と内筒５３の相対回転による伸縮筒５４の伸長時、ピン６３、６４を周方向溝７１、７２に嵌合させることにより回転方向分力の発生を阻止し、レリーズ軸受３０からの逆入力を遮断するようにしている。
【００４７】
実施の形態で示す自動クラッチ装置は上記の構造からなり、図１および図２は、回転／直動運動変換機構５０を形成する伸縮筒５４の収縮状態を示す。その収縮状態において、クラッチディスク１６はダイヤフラムスプリング１９によりフライホイール１３に圧接されてクラッチは入り状態にある。このため、クランクシャフト１０の回転はインプットシャフト１２に伝達される。
【００４８】
上記のようなクラッチの入り状態において、中空モータ４１の駆動により回転／直動運動変換機構５０の外筒５１を回転させると、図３および図４に示すように、外筒５１に形成されたカム溝６１に中間筒５２に設けられたピン６３が挿入されているため、中間筒５２が回転しつつ軸方向に移動する。また、中間筒５２に形成されたカム溝６２に内筒５３に設けられたピン６４が挿入されているため、上記中間筒５２の回転により内筒５３が軸方向に移動して伸縮筒５４が伸長する。
【００４９】
図５は伸縮筒５４の伸長状態を示し、その伸縮筒５４の伸長により、レリーズ軸受３０が押されて軸方向に移動し、そのレリーズ軸受３０でダイヤフラムスプリング１９の内周部が押圧されてクラッチディスク１６の押圧が解除され、クラッチが切り状態とされる。そのため、図１に示すクランクシャフト１０からインプットシャフト１２への動力伝達が遮断される。
【００５０】
また、中間筒５２に対する外筒５１の相対回転により、図５に示すように、外筒５１の周方向溝７１に中間筒５２に設けられたピン６３が係合し、また、内筒５３に対する中間筒５２の相対回転により、中間筒５２の周方向溝７２に内筒５３に設けられたピン６４が係合し、その係合によって回転方向分力の発生が防止されるため、レリーズ軸受３０側からの逆入力が遮断され、自動クラッチ装置はクラッチ解除状態に保持される。
【００５１】
このため、中空モータ４１に対する通電を遮断してもクラッチを切り状態に保持することができ、電流の消費および中間モータ４１の発熱を抑えることができる。
【００５２】
図１乃至図６に示す実施の形態の電動クラッチ装置においては、回転／直動運動変換機構５０を形成する伸縮筒５４がインプットシャフト１２上に設けられ、また、中空モータ４１が伸縮筒５４の外側に設けられているため、極めて小型の自動クラッチ装置を得ることができる。しかも、電動モータ４１を駆動源とするため、組み付けに際しては配線の取り回しをするのみでよいため、大きな組込みスペースを確保する必要がない。
【００５３】
図７に示すように、カム溝６１の内面およびキー溝５５の内面に低摩擦の表面処理層６５を設けておくと、伸縮筒５４を円滑に伸縮させることができる。また、図８に示すように、ピン６３、６４の外側にすべり軸受または転がり軸受６６を設けておくと、上記と同様に、伸縮筒５４を円滑に伸縮させることができる。
【００５４】
図１および図２では、電動モータ４１として中空モータを採用したが、図９乃至図１１に示すように、ロータ４２（図１０参照）が中実軸からなる電動モータ４１を採用してもよい。
【００５５】
図９および図１０においては、ブラケット４３を介してクラッチハウジング１４に支持された電動モータ４１をインプットシャフト１２と直交する配置とし、電動モータ４１のロータ４２に設けられたウォーム４５および外筒５１に設けられたウォームホイール４６からなる回転伝達機構４４を介してロータ４２の回転を外筒５１に入力している。
【００５６】
図１１においては、ブラケット４３を介してクラッチハウジング１４に支持された電動モータ４１をインプットシャフト１２と平行する配置とし、電動モータ４１のロータ４２に設けられた平歯車４７および外筒５１に設けられた平歯車４８からなる回転伝達機構４４を介してロータ４２の回転を外筒５１に入力している。
【００５７】
図１１に示す自動クラッチ装置においては、電動モータ４１のロータと平歯車４７の歯車軸４７ａ間に逆入力遮断機構７０としての逆入力遮断クラッチを組み込んで、レリーズ軸受３０からの逆入力を遮断している。
【００５８】
図９および図１１に示す回転伝達機構４４の採用においては、例えば、図９に示すように、外筒５１をクラッチハウジング１４との間に組み込んだスラスト軸受５７により軸方向への移動を規制する状態で回転自在に支持する。
【００５９】
ここで、逆入力遮断クラッチ７０は、図１２（ａ）、（ｂ）に示すように、電動モータ４１のロータ４２および歯車軸４７ａの双方に嵌合された軸受７３によって円筒状のクラッチ外輪７４を相対的に回転自在に支持し、歯車軸４７ａにはそのクラッチ外輪７４内で回転可能なクラッチ内輪７５を設け、そのクラッチ内輪７５の外周に、相反する方向に傾斜する一対の傾斜面７６ａ、７６ｂで形成される複数のカム面７６を周方向に間隔をおいて設けている。
【００６０】
また、電動モータ４１のロータ４２の端部にはクラッチ外輪７４とクラッチ内輪７５間で回転可能な保持器７７を設け、その保持器７７にはクラッチ内輪７５に形成された複数のカム面７６のそれぞれと対向する位置にポケット７８を設け、各ポケット７８内に一対のローラ７９と、そのローラ７９間に弾性部材８０を組み込んで、一対のローラ７９をクラッチ外輪７４の円筒形内面８１およびカム面７６に係合する方向に付勢している。
【００６１】
さらに、クラッチ内輪７５の端面に径方向溝８２を形成し、ロータ４２の端面には上記径方向溝８２に余裕をもって挿入されるトルク伝達ピン８３を設けている。
【００６２】
上記構成からなる逆入力遮断クラッチ７０においては、クラッチ外輪７４を固定とする使用状態で電動モータ４１の駆動によりロータ４２が回転すると、そのロータ４２と共に保持器７７が回転し、その保持器７７のポケット７８の一端面がその回転方向前側のローラ７９を押圧して円筒形内面８１およびカム面７６の係合を解除する。その係合解除後、トルク伝達ピン８３が径方向溝８２の一側面に当接して押圧し、ロータ４２の回転が歯車軸４７ａに伝達され、一対の平歯車４７、４８を介して回転／直動運動変換機構５０の外筒５１に入力される。
【００６３】
このため、図２に示すレリーズ軸受３０から歯車軸４７ａに逆入力が負荷された場合、その逆入力は係合状態にあるローラ７９によって遮断され、図２に示す回転／直動運動変換機構５０は作動することはない。
【００６４】
上記のような逆入力遮断クラッチ７０は、図９および図１０に示すように、電動モータ４１をインプットシャフト１２に対して直交する配置とした場合にも採用することができ、その逆入力遮断クラッチ７０を採用することで、図５および図６に示す周方向溝７１、７２を省略することができる。
【符号の説明】
【００６５】
１０  クランクシャフト
１１  変速機
１２  インプットシャフト
１３  フライホイール
１６  クラッチディスク
１９  ダイヤフラムスプリング（プレッシャプレート）
３０  レリーズ軸受
４０  軸力発生機構
４１  電動モータ
４２  ロータ
４４  回転伝達機構
４５  ウォーム
４６  ウォームホイール
４７  平歯車
４８  平歯車
５０  回転／直動運動変換機構
５１  外筒（筒体）
５２  中間筒（筒体）
５３  内筒（筒体）
５４  伸縮筒
６０  カム機構
６１  カム溝
６２  カム溝
６３  ピン
６４  ピン
７０  逆入力遮断機構（逆入力遮断クラッチ）
７１  周方向溝
７２  周方向溝
【図１】
0006581447.tif 000002
【図２】
0006581447.tif 000003
【図３】
0006581447.tif 000004
【図４】
0006581447.tif 000005
【図５】
0006581447.tif 000006
【図６】
0006581447.tif 000007
【図７】
0006581447.tif 000008
【図８】
0006581447.tif 000009
【図９】
0006581447.tif 000010
【図１０】
0006581447.tif 000011
【図１１】
0006581447.tif 000012
【図１２】
0006581447.tif 000013